(57)【要約】  【課題】  上部にベント管台を有する開放タンクにおいて、ベント管台内に結露した液滴の滴下を防止可能なベント管台を提供する。  【解決手段】  開放タンクの上部に設置され、当該開放タンクの内部と外部とを連通するベント管台であって、前記ベント管台はＵ字型の屈曲部を有し、前記ベント管台の一端は前記開放タンクの上面に設けられた開口部に接続され、他端は前記開放タンクの上面に対向する出口部を有する開放端であり、前記出口部に、前記ベント管台の内壁に沿って滴下する液滴を受ける返し部が設けられることを特徴とする。【選択図】  図２
2018122910.tif 000002
【特許請求の範囲】
【請求項１】
開放タンクの上部に設置され、当該開放タンクの内部と外部とを連通するベント管台であって、
前記ベント管台はＵ字型の屈曲部を有し、
前記ベント管台の一端は前記開放タンクの上面に設けられた開口部に接続され、
他端は前記開放タンクの上面に対向する出口部を有する開放端であり、
前記出口部に、前記ベント管台の内壁に沿って滴下する液滴を受ける返し部が設けられることを特徴とする開放タンクのベント管台。
【請求項２】
請求項１に記載の開放タンクのベント管台であって、
前記返し部と前記ベント管台の前記開放タンクとの接続部側とを連通する液滴戻り流路を備え、
前記返し部で受けた液滴を、前記液滴戻り流路を介して、前記ベント管台の前記開放タンクとの接続部側へ戻すことを特徴とする開放タンクのベント管台。
【請求項３】
請求項２に記載の開放タンクのベント管台であって、
前記返し部は、前記液滴戻り流路側へ傾斜して設けられることを特徴とする開放タンクのベント管台。
【請求項４】
請求項２または３に記載の開放タンクのベント管台であって、
前記屈曲部と前記ベント管台の前記開放タンクとの接続部との間に、前記屈曲部とは異なる他の屈曲部を有することを特徴とする開放タンクのベント管台。
【請求項５】
請求項４に記載の開放タンクのベント管台であって、
前記液滴戻り流路は、前記屈曲部と前記他の屈曲部との間の前記ベント管台に接続されることを特徴とする開放タンクのベント管台。
【請求項６】
請求項１から５のいずれか１項に記載の開放タンクのベント管台であって、
前記屈曲部と前記ベント管台の前記開放タンクとの接続部との間に、複数の開口を有するメッシュ板が設けられることを特徴とする開放タンクのベント管台。
【請求項７】
請求項６に記載の開放タンクのベント管台であって、
前記複数の開口の各々の開口形状は、円形、正方形、矩形、多角形のいずれかであることを特徴とする開放タンクのベント管台。
【請求項８】
開放タンクの上部に設置されるベント管台の出口部からの液滴の滴下を防止する滴下防止アタッチメントであって、
前記滴下防止アタッチメントは、前記ベント管台の出口部に嵌合される嵌合部と、
前記ベント管台の内壁に沿って滴下する液滴を受ける返し部と、を備え、
前記嵌合部を前記ベント管台の出口部に嵌合することで前記滴下防止アタッチメントを前記ベント管台に取り付けることを特徴とする滴下防止アタッチメント。
【請求項９】
請求項８に記載の滴下防止アタッチメントであって、
前記返し部と前記ベント管台の前記開放タンクとの接続部側とを連通する液滴戻り流路を備え、
前記返し部で受けた液滴を、前記液滴戻り流路を介して、前記ベント管台の前記開放タンクとの接続部側へ戻すことを特徴とする滴下防止アタッチメント。
【請求項１０】
請求項９に記載の滴下防止アタッチメントであって、
前記返し部は、前記液滴戻り流路側へ傾斜して設けられることを特徴とする滴下防止アタッチメント。
【請求項１１】
請求項８から１０のいずれか１項に記載の滴下防止アタッチメントであって、
前記滴下防止アタッチメント本体は、ゴムまたは樹脂により形成されることを特徴とする滴下防止アタッチメント。
【請求項１２】
請求項９に記載の滴下防止アタッチメントであって、
前記ベント管台の前記開放タンクとの接続部近傍に、前記液滴戻り流路を前記ベント管台へ接続する流路接続部が設けられることを特徴とする滴下防止アタッチメント。
【請求項１３】
請求項１２に記載の滴下防止アタッチメントであって、
前記流路接続部は、後付けで前記ベント管台に設けられることを特徴とする滴下防止アタッチメント。
【発明の詳細な説明】
【技術分野】
【０００１】
本発明は、開放タンクに取付けられるベント管台の構造に係り、特に、ベント管台内部に結露した液滴の滴下防止に有効な技術に関する。
【背景技術】
【０００２】
液体を一時的に貯留する開放型のタンクは、タンクの内圧と外部の大気圧を等しくするために、タンク上部にベント管台が設置されており、ベント管台を通してタンク内部と外部（大気）が単純な管路により連通している。
【０００３】
タンク内部に貯留された液体を加熱するタイプの開放タンクにおいては、内部の液体を加熱した際に蒸気が発生する。発生した蒸気はベント管台を通過し、外部に放出されるが、ベント管台を通過する際に、ベント管台内部に蒸気が結露する。
【０００４】
本技術分野の背景技術として、例えば、特許文献１のような技術がある。特許文献１には「排気弁を設置した通気管構造において、通気管内部での蒸気の冷却液化現象（結露現象）の発生を防止する手段」が開示されている。特許文献１は、「揮発性の液体を貯蔵するタンクと外気とを連通する通気管に、排気弁が設置されている構造」における、内部蒸気の結露現象の防止についての内容である。
【先行技術文献】
【特許文献】
【０００５】
【特許文献１】特開２００８−２４１０２２号公報
【発明の概要】
【発明が解決しようとする課題】
【０００６】
ところで、開放タンクに設置されるベント管台は外部からの異物の混入を防ぐ必要があるため、ベント管台の出口を下向きにして設置されることが多い。
【０００７】
上述したように、内部の液体を加熱するタイプの開放タンクの場合、発生した蒸気がベント管台を通過する際にベント管台内部で結露し、下向きの管台出口から結露した液体がタンク上部に滴下する場合がある。タンク上部に滴下した液体は、タンク上部（上蓋）のシミや腐食の原因となる。
【０００８】
上記特許文献１は、通気管内での結露を防止する手段についての内容であるが、揮発性液体を対象としており、外気を導入することにより管内に結露した揮発性液体を再度蒸発させる方法をとっている。したがって、揮発性の低い液体においては、外気の導入による蒸発は望めない。内部の液体が揮発性の液体でなくとも、管台出口からの滴下を防止する必要がある。
【０００９】
そこで、本発明の目的は、上部にベント管台を有する開放タンクにおいて、ベント管台内に結露した液滴の滴下を防止可能なベント管台を提供することにある。
【００１０】
また、本発明の別の目的は、上部にベント管台を有する開放タンクにおいて、簡便かつ低コストでベント管台内に結露した液滴の滴下を防止可能なベント管台用滴下防止アタッチメントを提供することにある。
【課題を解決するための手段】
【００１１】
上記課題を解決するために、本発明は、開放タンクの上部に設置され、当該開放タンクの内部と外部とを連通するベント管台であって、前記ベント管台はＵ字型の屈曲部を有し、前記ベント管台の一端は前記開放タンクの上面に設けられた開口部に接続され、他端は前記開放タンクの上面に対向する出口部を有する開放端であり、前記出口部に、前記ベント管台の内壁に沿って滴下する液滴を受ける返し部が設けられることを特徴とする。
【００１２】
また、本発明は、開放タンクの上部に設置されるベント管台の出口部からの液滴の滴下を防止する滴下防止アタッチメントであって、前記滴下防止アタッチメントは、前記ベント管台の出口部に嵌合される嵌合部と、前記ベント管台の内壁に沿って滴下する液滴を受ける返し部と、を備え、前記嵌合部を前記ベント管台の出口部に嵌合することで前記滴下防止アタッチメントを前記ベント管台に取り付けることを特徴とする。
【発明の効果】
【００１３】
本発明によれば、上部にベント管台を有する開放タンクにおいて、ベント管台内に結露した液滴の滴下を防止可能なベント管台を実現できる。
【００１４】
また、本発明によれば、上部にベント管台を有する開放タンクにおいて、簡便かつ低コストでベント管台内に結露した液滴の滴下を防止可能なベント管台用滴下防止アタッチメントを実現できる。
【００１５】
上記した以外の課題、構成および効果は、以下の実施形態の説明によって明らかにされる。
【図面の簡単な説明】
【００１６】
【図１】本発明の一実施形態に係る開放タンクの全体構成を示す概略図である。
【図２】本発明の一実施形態に係るベント管台の断面図である。
【図３】本発明の一実施形態に係るベント管台の断面図である。
【図４】本発明の一実施形態に係るベント管台の断面図である。
【図５Ａ】本発明の一実施形態に係るベント管台の断面図である。
【図５Ｂ】図５Ａのメッシュ板１４の平面図である。
【図５Ｃ】図５Ｂのメッシュ板１４の変形例を示す図である。
【図６】本発明の一実施形態に係るベント管台および滴下防止アタッチメントの断面図である。
【発明を実施するための形態】
【００１７】
以下、図面を用いて本発明の実施例を説明する。なお、各図面において、同一の構成については同一の符号を付し、重複する部分についてはその詳細な説明は省略する。
【実施例１】
【００１８】
図１および図２を参照して、実施例１の開放タンクのベント管台について説明する。図１は液滴の滴下防止構造を備えたベント管台が設置された開放タンクの概略図である。本実施例では、開放タンク底部に設置されたヒーターで加熱された内部液体から発生した蒸気がベント管台に流入し、ベント管台を介して外部へ放出される開放タンクの例を用いて説明する。また、図２は図１のベント管台の拡大断面図である。
【００１９】
本実施例の開放タンク１は、図１に示すように、開放タンク１の上部に開放タンク１の内部と外部とを連通させるベント管台３が設置されている。ベント管台３は、その一端が開放タンク１の上蓋２に設けられた開口部に合せてフランジのボルト固定や溶接などにより開放タンク１の上面に接続される。ベント管台３はＵ字型の屈曲部を有しており、ベント管台３の他端は開放タンク１の上面（上蓋２）に対向するように出口部を有する開放端となっている。
【００２０】
開放タンク１の底部には、ヒーター４が設置されており、開放タンク１内に貯留された液体５を加熱して、開放タンク１の上面（上蓋２）と液面６との間の空間に蒸気７を発生させる。発生した蒸気７は、ベント管台３に流入し、ベント管台３の他端に設けられた出口部から開放タンク１の外部へ放出される。
【００２１】
上述したように、ベント管台３はＵ字型の屈曲部を有しており、外部からの異物の混入を防ぐために出口部は下向きになるように設置される。そのため、ベント管台３内で結露し内壁に付着した液体（液滴）は、内壁に沿って滴下して開放タンク１の上面（上蓋２）に落下する。
【００２２】
そこで、本実施例のベント管台では、図２に示すように、ベント管台３の出口部に液滴１１を受ける返し部９を設けている。ベント管台上端８の近傍（Ｕ字型の屈曲部）で結露した液滴１１はベント管台３の内壁に付着し、液滴の流れ１２となってベント管台３の内壁を伝って出口部へ向かうが、出口部に設けられた返し部９により、ベント管台の出口部から滴下することはない。返し部９により受け止められた液滴１１は、液体５の揮発性が比較的高い場合は、再び揮発（蒸発）して気体として出口部から外部へ放出される。
【００２３】
一方、液体５の揮発性が低い場合、液滴１１は次第に返し部９に溜まっていく。そこで、図２のように、返し部９とベント管台３の開放タンク１との接続部側とを連通する液滴戻り流路１０を設けて、返し部９の液滴１１を液滴の流れ１２として開放タンク１へ戻すことにより、ベント管台３内の結露が多くなったとしても、出口部の返し部９の許容量を越えて溢れることはない。
【００２４】
なお、上述したように、液滴戻り流路１０については、結露が少ない場合（液体５の揮発性が比較的高い場合）は不要である。
【００２５】
以上説明したように、本実施例のベント管台によれば、上部にベント管台を有する開放タンクにおいて、ベント管台内に結露した液滴の開放タンクの上面（上蓋）への滴下を防止することができ、タンク上面（上蓋）のシミや腐食の発生を抑えることができる。
【００２６】
なお、上記で説明した本実施例のベント管台の構造は、ベント管台の断面形状が円形（円筒形状）、三角形や四角形（矩形）、六角形などの多角形のいずれの場合においても適用可能である。
【実施例２】
【００２７】
図３を参照して、実施例２の開放タンクのベント管台について説明する。図３は図１のベント管台の拡大断面図であり、図２の変形例を示している。
【００２８】
本実施例のベント管台３は、図３に示すように、実施例１の図２の構造に加えて、ベント管台３の出口部（返し部９）が斜めになっている点において、実施例１のベント管台と異なっている。
【００２９】
図３のように、返し部９とベント管台３の開放タンク１との接続部側とを連通する液滴戻り流路１０を設けている場合、ベント管台３の出口部（返し部９）を液滴戻り流路１０側へ傾斜して設けることで、返し部９から液滴戻り流路１０へ液体（液滴１１）が移動しやすくなり、液体が出口部の返し部９に長時間残留することが無い。
【００３０】
これにより、ベント管台３内の結露が多い場合でも、出口部の返し部９から液滴１１が溢れる可能性をより低くすることができる。
【実施例３】
【００３１】
図４を参照して、実施例３の開放タンクのベント管台について説明する。図４は図１のベント管台の拡大断面図であり、図２の変形例を示している。
【００３２】
本実施例のベント管台３は、図４に示すように、実施例１の図２の構造に加えて、ベント管台３のＵ字型の屈曲部と、ベント管台３の開放タンク１との接続部との間に、Ｕ字型の屈曲部とは異なる他の屈曲部（エルボ部１３）が設けられている点において、実施例１のベント管台と異なっている。
【００３３】
図４のように、ベント管台３のＵ字型の屈曲部と、ベント管台３の開放タンク１との接続部との間に、Ｕ字型の屈曲部とは異なる他の屈曲部（エルボ部１３）を設けることで、エルボ部１３にも蒸気７の結露（液滴１１）を発生させ、ベント管台３の出口部付近、特にベント管台上端８付近での結露を少なくすることができる。
【００３４】
なお、ベント管台上端８付近での結露が少なくなれば、出口部の返し部９に溜まる液体（液滴１１）が少なくなり、液滴戻り流路１０は不要となる。
【実施例４】
【００３５】
図５Ａから図５Ｃを参照して、実施例４の開放タンクのベント管台について説明する。図５Ａは図１のベント管台の拡大断面図であり、図２の変形例を示している。図５Ｂは図５Ａのメッシュ板１４の平面図であり、図５Ｃは図５Ｂの変形例であるパンチングメタル板１５の平面図である。
【００３６】
本実施例のベント管台３は、図５Ａに示すように、実施例１の図２の構造に加えて、ベント管台３のＵ字型の屈曲部と、ベント管台３の開放タンク１との接続部との間に、図５Ｂのメッシュ板１４または図５Ｃのパンチングメタル板１５が設けられている点において、実施例１のベント管台と異なっている。
【００３７】
図５Ａのように、ベント管台３のＵ字型の屈曲部と、ベント管台３の開放タンク１との接続部との間に、メッシュ板１４またはパンチングメタル板１５のような蒸気７の流れの抵抗成分を設けることで、メッシュ板１４またはパンチングメタル板１５にも蒸気７の結露（液滴１１）を発生させ、ベント管台３の出口部付近、特にベント管台上端８付近での結露を少なくすることができる。
【００３８】
なお、ベント管台上端８付近での結露が少なくなれば、出口部の返し部９に溜まる液体（液滴１１）が少なくなり、液滴戻り流路１０は不要となる。
【００３９】
また、図５Ｂではメッシュ板１４の開口形状が正方形（矩形）であり、図５Ｃではパンチングメタル板１５の開口形状が円形である例を示しているが、蒸気７の結露（液滴１１）を発生させることができればよく、三角形や六角形などの多角形であってもよい。
【実施例５】
【００４０】
図６を参照して、実施例５の滴下防止アタッチメントについて説明する。図６は液滴の滴下を防止するための滴下防止アタッチメントをベント管台の出口部へ取付けた状態を示す断面図である。
【００４１】
本実施例の滴下防止アタッチメント１６は、図６に示すように、ベント管台３の出口部に嵌合される嵌合部と、ベント管台３の内壁に沿って滴下する液滴１１を受ける返し部９を備えている。滴下防止アタッチメント１６の嵌合部をベント管台３の出口部に嵌合することで、既設の開放タンクのベント管台に対して後付けで滴下防止アタッチメント１６を取り付けることができる。
【００４２】
これにより、実施例１のようにベント管台３の出口部に返し部９を設けた場合と同様の効果を得ることができる。
【００４３】
なお、実施例１と同様に、滴下防止アタッチメント１６の返し部９と、ベント管台３の開放タンク１との接続部側とを連通する液滴戻り流路１０を設けて、返し部９の液滴１１を液滴の流れ１２として開放タンク１へ戻すように構成してもよい。この場合、液滴戻り流路１０をベント管台３へ接続するための流路接続部１７を後付けでベント管台３へ設置する。
【００４４】
滴下防止アタッチメント１６本体は、例えば、ゴム材や樹脂を用いて形成するのが好ましい。滴下防止アタッチメント１６本体をゴム材や樹脂で形成することで、滴下防止アタッチメント１６を低コストで製造することができ、また、滴下防止アタッチメント１６をベント管台３の出口部へ簡便に着脱することができる。また、液滴戻り流路１０には、例えば、ビニルチューブなどを用いることができる。ビニルチューブを用いることで、やはり低コストで簡便に返し部９とベント管台３の間に液滴戻り流路１０を設置することができる。
【００４５】
なお、本実施例の滴下防止アタッチメント１６を、実施例２から実施例４で説明したベント管台３の構成と同様に形成または設置してもよいのは言うまでもない。
【００４６】
また、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４７】
１…開放タンク、２…上蓋、３…ベント管台、４…ヒーター、５…液体、６…液面、７…蒸気、８…ベント管台上端、９…（出口部の）返し部、１０…液体（液滴）戻り流路、１１…液滴、１２…液滴の流れ、１３…エルボ部、１４…メッシュ板、１５…パンチングメタル板、１６…滴下防止アタッチメント、１７…流路接続部。
【図１】
2018122910.tif 000003
【図２】
2018122910.tif 000004
【図３】
2018122910.tif 000005
【図４】
2018122910.tif 000006
【図５Ａ】
2018122910.tif 000007
【図５Ｂ】
2018122910.tif 000008
【図５Ｃ】
2018122910.tif 000009
【図６】
2018122910.tif 000010